(57)【要約】【目的】  組み込み機器の切り替えＵＩ表示順序を最適化する。【解決手段】  複合複写機（１０１）のシステム制御部（１０２）にはアプリケーション管理部（１０５）が接続され、アプリケーション管理部１０５は、インストールアプリケーション表示順リスト（１０３）、起動アプリケーションリスト（１０４）および表示順アプリケーションリスト生成部（１０６）を含む。アプリケーション管理部（１０５）は、新たにインストールされたアプリケーション情報をインストールアプリケーション表示順リスト（１０３）に登録する。ＵＩ制御部（１０７）は、インストールアプリケーション表示順リスト（１０３）の順序に従って、表示部（１０８）において、切り替えＵＩと対応するアプリケーションの表示を制御する。【選択図】    図１
2005293472.tif 000002
【特許請求の範囲】
【請求項１】
インストールされている複数のアプリケーションの画面を切り替えて表示手段に表示する組み込み機器であって、
前記アプリケーションの画面を切り替えるための切り替えＵＩの表示順に関する表示順情報を、ユーザの指示に基づいて設定する表示順設定手段と、
前記表示順設定手段で設定された表示順情報に基づいて、前記切り替えＵＩの表示順を決定して表示するように制御する表示制御手段と、
を備えた組み込み機器。
【請求項２】
前記表示制御手段は、前記表示順設定手段で設定された表示順情報に基づいて、起動中のアプリケーションに関する切り替えＵＩの表示順を決定して表示するように制御することを特徴とする請求項１に記載の組み込み機器。
【請求項３】
ユーザを認証するためのユーザログイン手段をさらに備え、
前記表示順設定手段で設定される表示順情報はユーザごとに１または複数設けられ、
前記表示制御手段は、ログインしたユーザに対応した前記表示順情報に基いて前記切り替えＵＩの表示順を決定して表示することを特徴とする請求項１記載の組み込み機器。
【請求項４】
前記表示順設定手段で設定される表示順情報は利用目的に応じて設定可能とし、前記表示制御手段は、ユーザにより選択された利用目的に対応する表示順情報に基づいて、前記切り替えＵＩの表示順を決定して表示することを特徴とする請求項２記載の組み込み機器。
【請求項５】
前記表示順情報の設定を変更し得る外部機器との通信のための通信手段をさらに備えることを特徴とする請求項１に記載の組み込み機器。
【請求項６】
Ｗｅｂサーバをさらに備え、前記Ｗｅｂサーバから、前記通信手段を介して、切り替えＵＩ表示順変更のためのＷｅｂページを、前記外部機器に提供することを特徴とする請求項５記載の組み込み機器。
【請求項７】
前記表示制御手段は、前記切り替えＵＩを前記表示画面内のツールバー領域内に表示することを特徴とする請求項１に記載の組み込み機器。
【請求項８】
データサーバに格納されている表示順情報を参照する参照手段を更に有し、
前記表示制御手段は、前記参照手段により前記データサーバに格納された表示順情報を参照して、前記切り替えＵＩの表示順を決定して表示するように制御することを特徴とする請求項１に記載の組み込み機器。
【請求項９】
前記切り替えＵＩは、前記切り替えるアプリケーションを指定するためのタブまたはボタンを用いて表示されることを特徴とする請求項１に記載の組み込み機器。
【請求項１０】
インストールされている複数のアプリケーションの画面を切り替えて表示手段に表示するための切り替えＵＩの表示順に関する表示順情報を、ユーザの指示に基づいて設定する表示順設定手段と、前記表示順設定手段で設定された表示順情報に基づいて、前記切り替えＵＩの表示順を決定して表示するように制御する表示制御手段と、を備えた組み込み機器と、
前記表示順設定手段で設定された表示順情報を格納するデータサーバと、
を備え、
前記組み込み機器の表示制御手段は、前記データサーバに格納された表示順情報を参照して、前記切り替えＵＩの表示順を決定して表示するように制御することを特徴とする情報処理システム。
【請求項１１】
組み込み機器において、インストールされている複数のアプリケーションの画面を切り替えて表示手段に表示する表示順序制御方法であって、
前記アプリケーションの画面を切り替えるための切り替えＵＩの表示順に関する表示順情報を、ユーザの指示に基づいて設定する表示順設定ステップと、
前記表示順設定ステップで設定された表示順情報に基づいて、前記切り替えＵＩの表示順を決定して表示するように制御する表示制御ステップと、
を備えた表示順序制御方法。
【請求項１２】
請求項１１記載の表示順序制御方法をコンピュータに実行させるプログラムコードを含むコンピュータ実行可能なプログラム。
【請求項１３】
請求項１２記載のコンピュータ実行可能なプログラムが格納されたコンピュータ読み取り可能な記憶媒体。
【発明の詳細な説明】
【技術分野】
【０００１】
この発明は、組み込み機器、情報処理システム、表示順序制御方法、プログラム及び記憶媒体に関する。
【背景技術】
【０００２】
組み込み機器では記憶容量等のリソースの制限から、マルチウィンドウを実現するウィンドウシステムを実装することが難しい。このため、複数のＧＵＩ画面を実行する場合、タブやボタン（以下「切り替えＵＩ」という。）を用いてＧＵＩ画面を切り替えて表示することが多い。（例えば特許文献１）
【０００３】
また、機能が多い場合などは、該機能の操作を行なうための画面に切り替えるためのタブやボタンが１画面に収まらない場合もあり、複数ページに渡ってタブやボタン（切り替えＵＩ）を表示するようにしているものもある。
【０００４】
【特許文献１】特開２０００−１２５０５８号公報
【発明の開示】
【発明が解決しようとする課題】
【０００５】
従来、複数ページに切り替えＵＩが表示されている組み込み機器においては、切り替えＵＩが固定した順序で表示されるため操作性能が不充分であった。
【０００６】
例えば、あるユーザが比較的頻繁に使用する機能（アプリケーション）に切り替えるための切り替えＵＩが最後のページにある場合、ユーザは最後のページまでページ送りをしなければならず、操作手順が煩雑である。
【０００７】
また、複数ユーザが組み込み機器を共同利用する場合、全てのユーザにとって好適な切り替えＵＩ表示順序を実現することは不可能である。
【０００８】
本発明はこのような従来の問題点を解消すべく創案されたもので、組み込み機器の切り替えＵＩ表示順序を最適化することを目的とする。
【０００９】
【発明の効果】
【００１０】
本発明によれば、組み込み機器の切り替えＵＩ表示順序を最適化し得る。
【課題を解決するための手段】
【００１１】
本発明に係る組み込み機器は、インストールされている複数のアプリケーションの画面を切り替えて表示手段に表示する組み込み機器であって、前記アプリケーションの画面を切り替えるための切り替えＵＩの表示順に関する表示順情報を、ユーザの指示に基づいて設定する表示順設定手段と、前記表示順設定手段で設定された表示順情報に基づいて、前記切り替えＵＩの表示順を決定して表示するように制御する表示制御手段とを備える。これによって、組み込み機器の切り替えＵＩ表示順序を最適化し得る。
【００１２】
本発明に係る情報処理システムは、インストールされている複数のアプリケーションの画面を切り替えて表示手段に表示するための切り替えＵＩの表示順に関する表示順情報を、ユーザの指示に基づいて設定する表示順設定手段と、前記表示順設定手段で設定された表示順情報に基づいて、前記切り替えＵＩの表示順を決定して表示するように制御する表示制御手段と、を備えた組み込み機器と、前記表示順設定手段で設定された表示順情報を格納するデータサーバと、を備え、前記組み込み機器の表示制御手段は、前記データサーバに格納された表示順情報を参照して、前記切り替えＵＩの表示順を決定して表示するように制御することを特徴とする。これによって、複数の組み込み機器で切り替えＵＩ表示順序を共通に最適化し得る。
【００１３】
本発明の表示順序制御方法は、組み込み機器において、インストールされている複数のアプリケーションの画面を切り替えて表示手段に表示する表示順序制御方法であって、前記アプリケーションの画面を切り替えるための切り替えＵＩの表示順に関する表示順情報を、ユーザの指示に基づいて設定する表示順設定ステップと、前記表示順設定ステップで設定された表示順情報に基づいて、前記切り替えＵＩの表示順を決定して表示するように制御する表示制御ステップとを備える。これによって、複数の組み込み機器で切り替えＵＩ表示順序を共通に最適化し得る。
【発明を実施するための最良の形態】
【００１４】
次に、本発明に係る組み込み機器の好適な実施例を図面に基いて説明する。
【００１５】
【実施例１】
【００１６】
図１は、本発明に係る組み込み機器を複写複合機に適用した実施例１を示すシステム構成図である。
【００１７】
図１において、複合複写機１０１は、原稿のコピー、スキャン、印刷、ＦＡＸ等を実行する機能を有し、各機能を実行するためのアプリケーションに関してインストール、アンインストール、起動、停止を行なうフレームワークを持つ。
【００１８】
複合複写機１０１は、不図示のＣＰＵ、ＲＯＭ、ＲＡＭ、原稿のコピーを制御するコピー制御部、スキャン機能を制御するスキャン制御部、印刷機能を制御するスキャン制御部を備える。
【００１９】
また、複合複写機１０１は、起動しているアプリケーションに関する種々の情報を表示する表示部１０８と、アプリケーションのインストール、アンインストール、起動、停止を行なうシステム制御部１０２を備える。
【００２０】
システム制御部１０２にはアプリケーション管理部１０４が接続され、アプリケーション管理部１０５は、インストールアプリケーション表示順リスト１０３、起動アプリケーションリスト１０４および表示順アプリケーションリスト生成部１０６を含む。
【００２１】
インストールアプリケーション表示順リスト１０３は、複合複写機１０１にインストールされているアプリケーションのリストである。起動アプリケーションリスト１０４は、その時点で起動しているアプリケーションのリストである。
【００２２】
表示アプリケーションリスト生成部１０６は、起動アプリケーションのための切り替えＵＩを表示部１０８に表示するために、インストールアプリケーション表示順リスト１０３の順序で切り替えＵＩのリストを生成する。
【００２３】
アプリケーション管理部１０４にはＵＩ制御部１０７が接続されている。ＵＩ制御部１０７は、アプリケーション管理手段１０５からインストールアプリケーション表示順リスト１０３を取得し、インストールアプリケーション表示順リスト１０３の順序に従って、表示部１０８において、切り替えＵＩと対応するアプリケーションの表示を制御する。
【００２４】
表示部１０８表面にはタッチパネル（図示省略）が設けられ、表示部１０８に表示されたＵＩにユーザが触れることによって、複合複写機１０１を制御し得る。
【００２５】
次に、複写複合機１０１におけるアプリケーションプログラムのインストール、アンインストール、起動、停止等の処理（以下ステップ１という。）、切り替えＵＩの表示順設定処理（以下ステップ２という。）、表示順変更後の切り替えＵＩ表示処理（以下ステップ３という。）について説明する。
【００２６】
［ステップ１：インストール、アンインストール、起動、停止］
ユーザがシステム制御部１０２を操作してアプリケーションをインストールすると、システム制御部１０２はインストールされたアプリケーションに付随するアプリケーション情報を読み取り、このアプリケーション情報に、インストール処理されたアプリケーション情報であることを示す文字列データ「Ｉｎｓｔａｌｌｅｄ」を付加して、アプリケーション管理部１０５に送る。
【００２７】
アプリケーション管理部１０５は、システム制御部１０２から受け取ったアプリケーション情報に「Ｉｎｓｔａｌｌｅｄ」データが付加されていたときに、該アプリケーション情報をインストールアプリケーション表示順リスト１０３に登録する。
【００２８】
アプリケーション情報は、例えば、「アプリケーション名」、「アプリケーション固有のＩＤ」を含み、インストールアプリケーション表示順リスト１０３にはこれらの情報が登録される。アプリケーション情報が登録されたインストールアプリケーション表示順リスト１０３を図２に示す。
【００２９】
図２において、例えば５つのアプリケーション「Ｐｒｉｎｔ  Ｓｅｒｖｉｃｅ」、「ＦＡＸ  Ｓｅｒｖｉｃｅ」、「Ｇａｍｅ  Ｓｅｒｖｉｃｅ」、「Ｃａｌｃｕｌａｔｏｒ  Ｓｅｒｖｉｃｅ」、「Ｐｈｏｔｏ  Ｓｅｒｖｉｃｅ」がインストールされた状態において、各アプリケーションについて「アプリケーション名」、「アプリケーションＩＤ」とともに、表示順１〜５が登録される。新たにインストールされた「Ｐｈｏｔｏ  Ｓｅｒｖｉｃｅ」のアプリケーション情報は、インストールアプリケーション表示順リスト１０３の最後尾に追加され、最後の表示順序を示す番号５が付与される。
【００３０】
ユーザがシステム制御部１０２を操作してアプリケーションをアンインストールすると、システム制御部１０２はアンインストールされたアプリケーションに付随するアプリケーション情報に、アンインストール処理されたアプリケーション情報であることを示す文字列データ「ＵｎｉｎＳｔａｌｌｅｄ」を付加して、アプリケーション管理部１０５に送る。
【００３１】
アプリケーション管理部１０５は、システム制御部１０２から受け取ったアプリケーション情報に「ＵｎｉｎＳｔａｌｌｅｄ」データが付加されていたときに、該アプリケーション情報をインストールアプリケーション表示順リスト１０３から削除する。
【００３２】
インストールアプリケーション表示順リスト１０３においては、削除されたアプリケーション情報の次の表示順のアプリケーション情報の表示順を１つ上位に進め、表示順が１からの連番となるように調整する。
【００３３】
システム制御部１０２によってアプリケーションを起動すると、システム制御部１０２は、アプリケーション情報（「アプリケーション名」および「アプリケーションＩＤ」）に、処理内容を示す文字列データ「Ｓｔａｒｔｅｄ」を付加して、アプリケーション管理部１０５に送る。
【００３４】
アプリケーション管理部１０５は、システム制御部１０２から受け取ったアプリケーション情報に「Ｓｔａｒｔｅｄ」データが付加されていたときに、該アプリケーション情報を起動アプリケーションリスト１０４に追加する。
【００３５】
一方、システム制御部１０２によってアプリケーションを停止すると、システム制御部１０２は、アプリケーション情報に、処理内容を示す文字列データ「Ｓｔｏｐｐｅｄ」を付加して、アプリケーション管理部１０５に送る。
【００３６】
アプリケーション管理部１０５は、システム制御部１０２から受け取ったアプリケーション情報に「Ｓｔｏｐｐｅｄ」データが付加されていたときに、該アプリケーション情報を起動アプリケーションリスト１０４から削除する。
【００３７】
［ステップ２：切り替えＵＩの表示順設定処理］
複合複写機１０１には、切り替えＵＩの表示順序を設定するためのアプリケーション（以下、切り替えＵＩ表示順序設定アプリケーションという。）が搭載され、切り替えＵＩ表示順序設定アプリケーションの実行時には図３に示す表示画面が表示部１０８に表示される。
【００３８】
図３において、表示画面には、切り替えＵＩ（例えばボタン）を表示するツールバー３０１と、アプリケーションが持つＧＵＩを表示するアプリケーション表示エリア３０２が設けられる。
【００３９】
ツールバー３０１には最大３つの切り替えＵＩが表示され、４つ以上のアプリケーションが起動している場合は、複数ページのツールバーが設けられ、切り替えＵＩを分割表示する。
【００４０】
切り替えＵＩ表示順序設定アプリケーションのＧＵＩには、現在インストールされている各アプリケーションに対応したプルダウンメニュー３０５〜３０８が設けられ、各プルダウンメニュー３０５〜３０８には、切り替えＵＩを示す「Ｂｕｔｔｏｎ１」、「Ｂｕｔｔｏｎ２」、「Ｂｕｔｔｏｎ３」、「Ｂｕｔｔｏｎ４」等の表示と、対応アプリケーションのアプリケーション名、例えば「Ｐｈｏｎｅ  Ｓｅｒｖｉｃｅ」、「Ｃａｌｃｕｌａｔｏｒ  Ｓｅｒｖｉｃｅ」、「ＦＡＸ  Ｓｅｒｖｉｃｅ」、「Ｏｒｄｅｒ  Ｃｈａｎｇｅ  Ｓｅｒｖｉｃｅ」が表示される。
【００４１】
プルダウンメニュー３０５〜３０８の表示順は、切り替えＵＩの表示順に対応しており、表示順位が上のアプリケーションに対応するプルダウンメニューほど上に配置される。
【００４２】
プルダウンメニュー３０５〜３０８の表示順はユーザの操作によって変更可能であり、表示順変更後に、アプリケーション表示エリア３０２の「Ｓｅｔ」ボタン３０４を押すことによって、表示順が確定する。また「Ｒｅｓｅｔ」ボタン３０９を押すことによって、表示順変更をキャンセルし得る。
【００４３】
アプリケーション表示エリア３０２には、「接続」ボタン３０３が設けられ、「接続」ボタン３０３を押すと、「接続」ボタン３０３の押下がＵＩ生成部１０７に通知される。ＵＩ制御部１０７は、「接続」ボタン３０３の押下に呼応して、アプリケーション管理部１０５に対して、インストールアプリケーション表示順リスト１０３を要求する。
【００４４】
図４は、切り替えＵＩの表示順番設定処理を示すフローチャートである。
【００４５】
図４において、切り替えＵＩの表示順番設定処理は以下の各ステップによって実行する。
【００４６】
ステップＳ４−１：まず、「接続」ボタン３０３の押下をＵＩ制御部１０７に通知し、ＵＩ制御部１０７からアプリケーション管理部１０５に対してインストールアプリケーション表示順リスト１０３を要求する。
【００４７】
ステップＳ４−２：ステップＳ４−１に続いて、アプリケーション管理部１０５から、インストールアプリケーション表示順リスト１０３を、ＵＩ制御部１０７を介して、切り替えＵＩ表示順序設定アプリケーションに送信する。
【００４８】
ステップＳ４−３：ステップＳ４−２に続いて、切り替えＵＩ表示順序設定アプリケーションにおいて、受信したインストールアプリケーション表示順リスト１０３に基いて、プルダウンメニュー、例えば、「Ｐｈｏｎｅ  Ｓｅｒｖｉｃｅ」、「Ｃａｌｃｕｌａｔｏｒ  Ｓｅｒｖｉｃｅ」、「ＦＡＸ  Ｓｅｒｖｉｃｅ」、「Ｏｒｄｅｒ  Ｃｈａｎｇｅ  Ｓｅｒｖｉｃｅ」の４つのプルダウンメニューを表示する。
【００４９】
ステップＳ４−４：ステップＳ４−３に続いて、ユーザは切り替えＵＩ表示順序設定アプリケーションにおいて、必要に応じて、プルダウンメニューを操作し、プルダウンメニュー表示順とともに切り替えＵＩ表示順を変更する。この表示の設定は、「Ｓet」ボタン３０４を押すことによって確定する。図６は表示順変更後のプルダウンメニュー３０５〜３０８を示し、図７のインストールアプリケーション表示順リスト１０３に対応する順序でプルダウンメニューが配列されている。
【００５０】
ステップＳ４−５：ステップＳ４−４に続いて、切り替えＵＩ表示順序設定アプリケーションから、確定された切り替えＵＩ表示順をＵＩ制御部１０７に送り、ＵＩ制御部１０７において、インストールアプリケーション表示順リスト１０３（図７）を作成する。インストールアプリケーション表示順リスト１０３には、「ＦＡＸ  Ｓｅｒｖｉｃｅ」、「Ｐｈｏｎｅ  Ｓｅｒｖｉｃｅ」、「Ｃａｌｃｕｌａｔｏｒ  Ｓｅｒｖｉｃｅ」、「Ｏｒｄｅｒ  Ｃｈａｎｇｅ  Ｓｅｒｖｉｃｅ」の順にアプリケーション情報が列挙される。
【００５１】
ステップＳ４−６：ＵＩ制御部１０７から、ステップＳ４−５で作成されたインストールアプリケーション表示順リスト１０３を、アプリケーション管理部１０５に送る。
【００５２】
ステップＳ４−７：ステップＳ４−６に続いて、アプリケーション管理部１０５において、受信したインストールアプリケーション表示順リストを、保有するインストールアプリケーション表示順リスト１０３に上書きする。
【００５３】
以上の処理の流れによりインストールアプリケーション表示順リスト１０３は、ユーザが設定したアプリケーション表示順序にアプリケーション情報が並べ替えられる。
【００５４】
なお実施例１では、切り替えＵＩ表示順序設定アプリケーションは、システム制御部１０２によってインストール、アンインストール、起動、停止の制御が可能であったが、システム制御部１０２から制御せずに別のフレームワークで動作することとしてもよい。
【００５５】
［ステップ３：表示順変更後の切り替えＵＩ表示処理］
図８は、インストールアプリケーション表示順リスト１０３に基づいて、ツールバー３０１における切り替えＵＩを並べ替える処理を示すフローチャートである。
【００５６】
図８において、切り替えＵＩを並べ替える処理は以下の各ステップによって実行される。
【００５７】
ステップＳ８−１：まず、アプリケーション管理部１０５において、インストールアプリ表示リスト１０３と起動アプリケーションリスト１０４とを比較し、インストールアプリケーション表示リスト１０３の上位から１つずつアプリケーション名とアプリケーションＩＤを読み出す。
【００５８】
ステップＳ８−２：ステップＳ８−１におけるアプリケーション情報読み出しにおいて、全てのアプリケーション情報の読み出しが完了したか否か判断する。読み出しが完了したときはステップＳ８−５に進み、読み出すべきアプリケーション情報が残っているときはステップＳ８−３に進む。
【００５９】
ステップＳ８−３：ステップＳ８−１で読み出したアプリケーション情報が起動アプリケーションリスト１０４内に存在するか否か、すなわち該アプリケーション情報が動作中のアプリケーションか否か判断する。動作中のアプリケーションのときはステップＳ８−４に進み、動作中のアプリケーションでないときはステップＳ８−１に戻る。
【００６０】
ステップＳ８−４：起動アプリケーションリスト１０４内にアプリケーション情報がある場合には、表示アプリケーション生成部１０６においてインストールアプリケーションインストールアプリケーション表示順リスト１０３を作成し、該インストールアプリケーション表示順リスト１０３に該アプリケーション情報を追加する。
【００６１】
ステップＳ８０５：インストールアプリケーション表示順リスト１０３中の全てのアプリケーション情報の読み出しを完了したときは、作成したインストールアプリケーション表示順リスト１０３をＵＩ制御部１０６に送信する。
【００６２】
例えば、アプリケーション管理部１０５が図９のインストールアプリケーション表示順リスト１０３と図１０の起動アプリケーションリスト１０４を保有する場合、「Ｇａｍｅ  Ｓｅｒｖｉｃｅ」、「Ｐｈｏｎｅ  Ｓｅｒｖｉｃｅ」、「Ｏｒｄｅｒ  Ｃｈａｎｇｅ  Ｓｅｒｖｉｃｅ」、「ＦＡＸ  Ｓｅｒｖｉｃｅ」の順にアプリケーション情報が掲載されているインストールアプリケーション表示順リスト１０３をＵＩ制御部１０７に送信する。
【００６３】
ステップＳ８−６：ＵＩ制御部１０７において、受信したインストールアプリケーション表示順リスト１０３内のアプリケーション情報に基づいてツールバー３０１に表示する切り替えＵＩを決定する。
【００６４】
すなわち、ツールバーの書き換え処理が開始された時点で表示されていたアプリケーションに対応した切り替えＵＩを持つページのツールバー３０１を表示する。
【００６５】
例えば、「Ｏｒｄｅｒ  Ｃｈａｎｇｅ  Ｓｅｒｖｉｃｅ」がツールバー３０１に表示されているとき、インストールアプリケーション表示順リスト１０３にはアプリケーション情報が４つあるが、１ページのツールバー３０１に掲載できる切り替えＵＩは３つである。そこで、上位３つのアプリケーション「Ｇａｍｅ  Ｓｅｒｖｉｃｅ」、「Ｐｈｏｎｅ  Ｓｅｒｖｉｃｅ」、「Ｏｒｄｅｒ  Ｃｈａｎｇｅ  Ｓｅｒｖｉｃｅ」がツールバー３０１の１ページ目に表示され、「ＦＡＸ  Ｓｅｒｖｉｃｅ」がツールバー３０１の２ページ目に表示される。
【００６６】
ステップＳ８−７：ステップＳ８−６でページ割り当てツールバー３０１について、「Ｏｒｄｅｒ  Ｃｈａｎｇｅ  Ｓｅｒｖｉｃｅ」が表示されるページを検索する。
【００６７】
ステップＳ８−８：「Ｏｒｄｅｒ  Ｃｈａｎｇｅ  Ｓｅｒｖｉｃｅ」ボタン（切り替えＵＩ）が含まれるページを表示する。上記の例では、１ページ目に「Ｏｒｄｅｒ  ＣｈａｎＧｅ  Ｓｅｒｖｉｃｅ」が入っているので、「Ｏｒｄｅｒ  Ｃｈａｎｇｅ  Ｓｅｒｖｉｃｅ」ボタンとともに「Ｇａｍｅ  Ｓｅｒｖｉｃｅ」ボタン、「Ｐｈｏｎｅ  Ｓｅｒｖｉｃｅ」ボタン、「Ｏｒｄｅｒ  Ｃｈａｎｇｅ  Ｓｅｒｖｉｃｅ」ボタンを含むツールバー３０１のページを表示部１０８に出力する。
【００６８】
図１１は、ステップＳ８−８で表示部１０８にツールバー３０１が出力された表示画面を示す。ツールバー３０１には「Ｏｒｄｅｒ  Ｃｈａｎｇｅ  Ｓｅｒｖｉｃｅ」ボタン１１０１、「Ｇａｍｅ  Ｓｅｒｖｉｃｅ」ボタン１１０２、「Ｐｈｏｎｅ  Ｓｅｒｖｉｃｅ」ボタン１１０３、「Ｏｒｄｅｒ  Ｃｈａｎｇｅ  Ｓｅｒｖｉｃｅ」ボタン１１０４が表示される。またツールバー３０１の両端には、ページ戻しの矢印１１０５およびページ送りの矢印１１０６が表示される。
【００６９】
図１１の表示画面において、ページ送りの矢印１１０６を押すと、図１２に示すように、ツールバー３０１の２ページ目が表示される。２ページ目には、「ＦＡＸ  Ｓｅｒｖｉｃｅ」ボタン１２０１が表示されている。
【００７０】
なお、以上の処理は、図４でインストールアプリケーション表示順リスト１０３が上書きされたことをトリガとして、図８においての表示部１０８を再描画したが、表示部１０８における再描画要求をトリガとして、図８の処理をスタートすることも可能である。
【００７１】
以上のとおり、実施例１は、複合複写機１０１の表示部１０７に表示されるアプリケーションの切り替えＵＩの表示順を容易に変更し得る。
【実施例２】
【００７２】
図１３−１は、本発明に係る組み込み機器を複写複合機に適用した実施例２を示すシステム構成図である。
【００７３】
図中、実施例１と同一もしくは相当部分には同一符号を付す。
【００７４】
実施例２は、インストールアプリケーション表示順リスト１０３をユーザごとに設ける。
【００７５】
図１３−１において、複合複写機１０１は、図１の構成に加え、機器を利用するユーザを判別するためのユーザログイン部１３０１を持つ。ユーザログイン部１３０１はアプリケーション管理部１０５および表示部１０８に接続されている。
【００７６】
ユーザログイン部１３０１は、表示部１０８に、図１３−２のユーザログインページを表示する。
【００７７】
ログインページには、ユーザＩＤ入力領域１３０２、パスワードの入力領域１３０３と、複合複写機１０１の利用目的を選択するプルダウンメニュー１３０４が表示される。
【００７８】
利用目的は、例えば、「コピー」、「印刷」、「スキャン」、「ゲーム」等である。
【００７９】
ログインページにおいてユーザＩＤ、パスワードを入力し、利用目的をプルダウンメニューから選択すると、これらログイン情報がユーザログイン部１３０１に送信される。
【００８０】
ユーザログイン部１３０１は各ユーザ（例えばユーザ１〜ユーザｎ）のユーザＩＤ、パスワードが登録されたユーザ認証用リスト１３０５を保有し、ログイン情報とユーザ認証用リスト１３０５とを照合して、ユーザのアクセス権有無を判断する。
【００８１】
ユーザログイン部１３０１においてユーザがアクセス権を有すると判断されたときは、ユーザログイン部１３０１は、ユーザ名、利用目的等の情報を保持するとともに、ユーザ名、利用目的等の情報をアプリケーション管理部１０４に通知する。
【００８２】
アプリケーション管理部１０４は、ユーザ名、利用目的等の情報を受信したときは、複合複写機１０１において該機能の利用が可能となるように、ＵＩ生成手段１０７によって、所定のＧＵＩを表示部１０８に表示する。
【００８３】
実施例２は、実施例１と同様の操作でアプリケーション切り替えＵＩの表示順序を変更する。その際、アプリケーション管理部１０５は、ユーザログイン部１３０１に保持されたユーザ名、利用目的の情報から、ユーザ個人用の利用目的に対するインストールアプリケーション表示順リスト１０３を作成する。
【００８４】
その後、同一ユーザがインストールアプリケーション表示順リスト１０３に登録した利用目的でログインしたときは、アプリケーション管理部１０５において該インストールアプリケーション表示順リスト１０３に基いて切り替えＵＩ等の表示を行う。
【００８５】
以上のようにユーザ毎、利用目的毎にインストールアプリケーション表示順リスト１０３を作成するので、ログインした個々のユーザについて、利用目的に応じて最適表示順の切り替えＵＩ表示が可能である。
【００８６】
例えば、複合複写機１０１の利用目的「コピー」をインストールアプリケーション表示順リスト１０３に登録したとき、コピーに関係するアプリケーションが先頭に表示されるように切り替えＵＩの表示順序を設定する。
【００８７】
なお、実施例２ではユーザの利用目的のみによってインストールアプリケーション表示順リスト１０３を作成したが、複合複写機１０１を利用する季節、時間帯、その他の属性を登録してもよい。このような時間的な属性は自動入力が可能であり、ユーザがインストールアプリケーション表示順リスト１０３を選択する条件を入力しなかったときに、機器内で管理する時計に基いて、インストールアプリケーション表示順リスト１０３を自動生成し、あるいは自動選択し得る。
【実施例３】
【００８８】
図１４は、本発明に係る組み込み機器を複写複合機に適用した実施例３を示すシステム構成図である。
【００８９】
図中、実施例１と同一もしくは相当部分には同一符号を付す。
【００９０】
実施例３は、通信部を持つ他の機器から切り替えＵＩ表示順序の変更を可能にする。
【００９１】
実施例３、複合複写機１０１が他の機器とのデータ交換するための通信部１０９を備え、切り替えＵＩの表示順序を設定するための専用アプリケーションを持つ他のクライアント機器１１０が通信部１０９において接続されている。
【００９２】
実施例３は、実施例１と同様のステップ１、ステップ３を実行し、ステップ２において実施例１と異なるので、以下にステップ２のみを説明する。
【００９３】
［ステップ２：切り替えＵＩの表示順設定処理］
クライアント機器１１０は不図示のＣＰＵ、ＲＯＭ、ＲＡＭ、マウス等入出力部、および通信部１０９との相互通信のための通信部１１１を有する。
【００９４】
クライアント１１０には、複合複写機１０１から送られたインストールアプリケーション表示順リスト１０３の情報を表示し、ＧＵＩによって、インストールアプリケーション表示順リスト１０３内のアプリケーション情報の順序を変更するクライアント専用アプリケーション１１２が搭載される。
【００９５】
図１５は、クライアント機器１１０上のクライアント専用アプリケーション１１２から切り替えＵＩ表示順序を変更する処理を示すフローチャートである。
【００９６】
ステップＳ１５−１：まず、クライアントユーザがクライアント機器１１０上の専用クライアントアプリケーション１１２を起動し、ステップＳ１５−２に進む。
【００９７】
ステップＳ１５−２：クライアント専用アプリケーション１１２によって、通信部１１１を介して複合複写機１０１とのデータ送受信を行なう。
【００９８】
通信部１１１と、複合複写機１０１の通信部１０９との通信には、ＵＳＢ等のインターフェース、ＩＥＥＥ１３９４、赤外線通信、その他の通信方式が採用される。
【００９９】
ここで、クライアントユーザが、クライアント専用アプリケーション１１２における「接続」ボタン１６０３をクリックすると、クライアント専用アプリケーション１１２は、通信部１１１を介して、複合複写機１０１に、アプリケーション管理部１０５が保有するインストールアプリケーション表示順リスト１０３を要求する。
【０１００】
ステップＳ１５−３：ステップＳ１５−２に続いて、インストールアプリケーション表示順リスト１０３の要求に基いて、アプリケーション管理部１０５は、通信部１０９を介してインストールアプリケーション表示順リスト１０３を通信部１１１に送信する。一方、通信部１１１は受信したインストールアプリケーション表示順リスト１０３をクライアントアプリケーション１１２に伝達する。
【０１０１】
ステップＳ１５−４：ステップＳ１５−３に続いて、クライアント機器１１０は受信したインストールアプリケーション表示順リスト１０３に基づいて、クライアントユーザがアプリケーションの表示順序を変更するためのＧＵＩを作成し、表示画面に表示する。図１７は、インストールアプリケーション表示順リスト１０３の例を示し、「Ｐｒｉｎｔ  Ｓｅｒｖｉｃｅ」、「ＦＡＸ  Ｓｅｒｖｉｃｅ」、「Ｇａｍｅ  Ｓｅｒｖｉｃｅ」、「Ｃａｌｃｕｌａｔｏｒ  Ｓｅｒｖｉｃｅ」、「Ｐｈｏｎｅ  Ｓｅｒｖｉｃｅ」の５個のアプリケーションが、アプリケーションＩＤ「１」、「２」、「３」、「４」、「５」としてそれぞれ登録されている。
【０１０２】
ステップＳ１５−５：ステップＳ１５−４に続いて、クライアント機器１１０は、例えば、クライアント専用アプリケーション１１２において図１６に示すＧＵＩを表示する。
【０１０３】
図１６において、ＧＵＩには、インストールアプリケーション表示順リスト１０３に登録された全てのアプリケーションに対応したプルダウンメニュー１６０１が設けられ、各プルダウンメニューには各アプリケーションのアプリケーション名が表示される。
【０１０４】
プルダウンメニュー１６０１は上下に配列され、より上位のプルダウンメニューのアプリケーションほど表示順位が上位である。プルダウンメニューの順位は、インストールアプリケーション表示順リスト１０３（図１７）の順位に沿っており、「Ｐｒｉｎｔ  Ｓｅｒｖｉｃｅ」、「ＦＡＸ  Ｓｅｒｖｉｃｅ」、「Ｇａｍｅ  Ｓｅｒｖｉｃｅ」、「Ｃａｌｃｕｌａｔｏｒ  Ｓｅｒｖｉｃｅ」、「Ｐｈｏｎｅ  Ｓｅｒｖｉｃｅ」の順で５個のプルダウンメニュー１６０１が表示される。
【０１０５】
ユーザはプルダウンメニューの表示順位を自由に設定でき、例えば、図１６の順位を図１８のすように、「Ｐｈｏｎｅ  Ｓｅｒｖｉｃｅ」、「Ｃａｌｃｕｌａｔｏｒ  Ｓｅｒｖｉｃｅ」、「ＦＡＸ  Ｓｅｒｖｉｃｅ」、「Ｐｒｉｎｔ  Ｓｅｒｖｉｃｅ」、「Ｇａｍｅ  Ｓｅｒｖｉｃｅ」と入れ替えることができる。
【０１０６】
ステップＳ１５−６：ステップＳ１５−５に続いて、アプリケーション順位変更後に、ＧＵＩの「Ｓet」ボタン１８０２をクリックすると、インストールアプリケーション表示順リスト１０３のアプリケーション名とアプリケーションＩＤに、新たなプルダウンメニュー１８０１のアプリケーションが登録される。「Ｒｅｓｅｔ」ボタン１８０４をクリックすると、アプリケーション順位変更は無効になる。
【０１０７】
ステップＳ１５−７：ステップＳ１５−６に続いて、クライアント専用アプリケーション１１２は、修正されたインストールアプリケーション表示順リスト１０３を通信部１１１を介して複合複写機１０１の通信部１０９に送信する。図１８のＧＵＩにおいて修正されたインストールアプリケーション表示順リスト１０３は、図１９のとおりであり、「Ｐｈｏｎｅ  Ｓｅｒｖｉｃｅ」、「Ｃａｌｃｕｌａｔｏｒ  Ｓｅｒｖｉｃｅ」、「ＦＡＸ  Ｓｅｒｖｉｃｅ」、「Ｐｒｉｎｔ  Ｓｅｒｖｉｃｅ」、「Ｇａｍｅ  Ｓｅｒｖｉｃｅ」の順でアプリケーションが登録される。
【０１０８】
ステップＳ１５−８：ステップＳ１５−７に続いて、複写複合機１０１において、受信したインストールアプリケーション表示順リスト１０３は、通信部１０９からアプリケーション管理部１０５に伝えられ、アプリケーション管理部１０５は保持しているインストールアプリケーション表示順リスト１０３を受信情報によって上書きする。
【０１０９】
以上の処理により、他の機器からインストールアプリケーション表示順リスト１０３中のアプリケーション情報を並べ替えることができる。
【実施例４】
【０１１０】
図２０は、本発明に係る組み込み機器を複写複合機に適用した実施例４を示すシステム構成図である。
【０１１１】
図中、実施例１と同一もしくは相当部分には同一符号を付す。
【０１１２】
実施例４は、クライアント機器１１０がＷＥＢブラウザ２００３によって切り替えＵＩの表示順序を変更する。
【０１１３】
図２０において、実施例４が実施例３のシステム構成図（図１４）と異なる点は以下（１）〜（３）である。（１）クライアント機器１１０がＷＥＢブラウザ２００３を有する。（２）複合複写機１０１がＨＴＴＰサーバ２００４を有する。ＨＴＴＰサーバ２００４は、クライアント機器１１０のＷＥＢブラウザ２００３にＨＴＭＬファイルを提供し、ＷＥＢブラウザ２００３に表示順序変更するためのＧＵＩを表示する。（３）クライアント機器１１０の通信部２００２と複合複写機１０１の通信部２００１とがインターネット・イントラネット２００５で接続される。
【０１１４】
また実施例４が実施例３と作用の面で異なるのは、切り替えＵＩの表示順序変更をクライアント専用アプリケーションではなく、ＷＥＢブラウザ２００３で行なう点である。ＷＥＢブラウザ２００３による表示順序変更実行のために、複合複写機１０１のＨＴＴＰサーバ２００４からクライアント機器１１０に、アプリケーション切り替えアイコンの表示順序を変更するためのＧＵＩを、ＨＴＭＬファイルとして提供する。
【０１１５】
実施例４は、実施例１と同様のステップ１、ステップ３を実行し、ステップ２において実施例１と異なるので、以下にステップ２のみを説明する。
【０１１６】
［ステップ２：切り替えＵＩの表示順設定処理］
【０１１７】
図２０において、複合複写機１０１は、不図示のＲＯＭにサーブレットプログラムが格納され、ＨＴＴＰサーバ２０４が起動すると、アプリケーション切り替えＵＩ（アイコン）の表示順序を変更するためのサーブレットプログラムをＨＴＴＰサーバ２０４自身に登録する。ここにいう「登録」は、サーブレットプログラムに対してＵＲＬを対応付けることであり、ＨＴＴＰサーバ２０４は、該ＵＲＬにアクセスしたクライアントからのデータをサーブレットプログラムに伝達する。
【０１１８】
サーブレットプログラムは、ＨＴＴＰサーバと連動して動作し、クライアントのアクセスに呼応して、入力フォームを構成するＨＴＭＬデータを生成してクライアントに送信し、またクライアントから記入済みの該入力フォームを受信して所定の処理を実行する。
【０１１９】
クライアント機器１１０のＷＥＢブラウザ２００３において、サーブレットプログラムが登録されたＵＲＬにアクセスすると、サーブレットプログラムは、アプリケーション管理部１０５からインストールアプリケーション表示順リスト１０３を取得する。さらにサーブレットプログラムは、インストールアプリケーション表示順リスト１０３に含まれるアプリケーション名を、プルダウンメニュー１６０１に表示するためのＨＴＭＬデータを生成する。プルダウンメニュー１６０１を表示すＧＵＩの構成は実施例１と同様である。
【０１２０】
ＨＴＭＬデータは、通信部２００１からインターネット/イントラネット２００５を介して、通信部２００２に送信され、通信部２００２からＷＥＢブラウザ２００３に伝達される。
【０１２１】
ＨＴＭＬデータに基いてＷＥＢブラウザ２００３に表示されたＧＵＩの例を図２１に示す。
【０１２２】
ＧＵＩにはプルダウンメニュー１６０１、「Ｓｅｔ」ボタン１６０２、「Ｒｅｓｅｔ」ボタン１６０４が表示され、さらに、ＵＲＬ２１０１および操作ボタン２１０２〜２１０５が表示される。
【０１２３】
実施例１の専用クライアントアプリケーション１１０と同様、クライアントユーザはＧＵＩプルダウンメニュー１６０２を操作して表示順を設定する。
【０１２４】
クライアントユーザがＷＥＢブラウザ２００３上で「Ｓet」ボタン１６０２を押すと、ＷＥＢブラウザで設定されているプルダウンメニューの状態がクライアント機器１１０からＨＴＴＰサーバ２００４に送信される。さらにプルダウンメニューの状態は、サーブレットプログラムに伝達され、サーブレットプログラムはプルダウンメニューの状態に基いて切り替えＵＩ表示順序を設定し、アプリケーション情報をその順序で並べたインストールアプリケーション表示順リスト１０３を作成する。インストールアプリケーション表示順リスト１０３はアプリケーション管理部１０５に伝達される。
【０１２５】
アプリケーション管理部１０５は受信したインストールアプリケーション表示順リスト１０３によって、保持しているインストールアプリケーション表示順リスト１０３を上書きする。
【０１２６】
以上のとおり、ＷＥＢブラウザ２００３から切り替えＵＩ表示順序を設定し得る。
【実施例５】
【０１２７】
図２２は、本発明に係る組み込み機器を複写複合機に適用した実施例５を示すシステム構成図である。
【０１２８】
図中、実施例１と同一もしくは相当部分には同一符号を付す。
【０１２９】
実施例５は、実施例４の構成に加え、データサーバ２２０１をネットワークに接続している。インストールアプリケーション表示順リスト２２０３はデータサーバ２２０１に保存され、複数の複写複合機からインストールアプリケーション表示順リスト２２０３を参照し得る。
【０１３０】
以下、実施例１のステップ１〜ステップ３に対応するステップ５−１、ステップ５−２、ステップ５−３の処理を説明する。
［ステップ５−１：インストール、アンインストール、起動、停止］
アプリケーションプログラムをインストール、アンインストール、起動、停止した場合の処理は、実施例１のステップ１とほぼ同様であるが、実施例５では、
システム制御部１０２からアプリケーションをインストール、アンインストールすると、データサーバ２２０１に格納されたインストールアプリケーション表示順リスト２２０３のアプリケーション情報に対して、自動的に追加、削除等の処理が行なわれる。
【０１３１】
［ステップ５−２：切り替えＵＩの表示順設定処理］
サーブレットプログラムは、ネットワーク上のデータサーバ２２０１に記録されているインストールアプリケーション表示順リスト２２０３を取得し、該インストールアプリケーション表示順リスト２２０３に含まれるアプルケーション名をプルダウンメニューに表示するためのＨＴＭＬデータを生成する。
【０１３２】
また、クライアント機器１１０のＷＥＢブラウザ２００３において表示順を変更すると、アプリケーション表示順序のデータがクライアント機器１１０からサーブレットプログラムに送信され、サーブレットプログラムは、変更された表示順のアプリケーション情報を、インストールアプリケーション表示順リスト１０３として、データサーバ２２０１に送信する。
【０１３３】
データサーバ２２０１は受信したインストールアプリケーション表示順リスト１０３を、保持しているインストールアプリケーション表示順リスト１０３に上書きする。
【０１３４】
［ステップ５−３：表示順変更後の切り替えＵＩ表示処理］
表示順が変更された切り替えＵＩを表示部１０８に表示する処理は、実施例１のステップ３の処理とほぼ同様であるが、実施例５では、アプリケーション管理部２２０２は通信部２００１を介してデータサーバ２２０１からインストールアプリケーション表示順リスト２２０３を取得し、起動アプリケーションリスト１０４と比較する。
【０１３５】
実施例５では、インストールアプリケーション表示順リスト２２０３をデータサーバ２２０１に格納して、複数の複合複写機からアクセス可能としたので、複数の複合複写機が同一表示順序で切り替えＵＩを表示し得る。
【０１３６】
また、実施例２のようにユーザ毎のインストールアプリケーション表示順リスト２２０３を生成し、データサーバ２２０１に格納すれば、ユーザがどの複写複合機を利用しても、該ユーザの好みに合った表示順序で切り替えＵＩが表示される。
【０１３７】
実施例５では、複合複写機１０１と別個のデータサーバ２２０１を備えたが、データサーバ２２０１と同様の機能を、複合複写機１０１のＨＴＴＰサーバに備えてもよい。
【０１３８】
これによって、アプリケーション管理部２２０２で管理するインストールアプリケーション表示順リスト１０３を複合複写機間で相互に送受信し、受信したインストールアプリケーション表示順リストによって保持しているインストールアプリケーション表示順リストを上書きする構成を採用し得る。
【０１３９】
なお、複合複写機を、汎用コンピュータ、プリンタ、スキャナ等で実現し、図４、図８、図１５の処理を汎用コンピュータによって実行してもよい。この場合、これらの処理を汎用コンピュータに実行させるためプログラムコードを含むコンピュータ実行可能なプログラムを、汎用コンピュータに読み込ませる。
【０１４０】
汎用コンピュータが処理を実行するためのプログラムは、汎用コンピュータに内蔵されたＲＯＭや、汎用コンピュータが読み取り得る記憶媒体から読み込まれ、あるいはネットワークを通じてサーバ等から読み込まれる。
【図面の簡単な説明】
【０１４１】
【図１】本発明に係る組み込み機器を複写複合機に適用した実施例１を示すシステム構成図である。（実施例１）
【図２】図１の複写複合機からアプリケーション管理部に送信されるインストールアプリケーション表示順リストを示す表である。（実施例１）
【図３】図１の複写複合機にインストールされた切り替えＵＩ表示順序変更アプリケーションの表示画面を示す図である。（実施例１）
【図４】図３の切り替えＵＩ表示順序変更アプリケーションによる、表示順序変更の処理を示すフローチャートである。（実施例１）
【図５】アプリケーション管理部からＵＩ表示順序設定プリケーションに送信されるインストールアプリケーション表示順リストを示す表である。（実施例１）
【図６】ＵＩ表示順序設定プリケーションの表示画面を示す図である。（実施例１）
【図７】アプリケーション管理部に送信される順序変更後のインストールアプリケーション表示順リストを示す表である。（実施例１）
【図８】ＵＩ表示順序設定アプリケーションにおいてインストールアプリケーション表示順を変更する処理を示すフローチャートである。（実施例１）
【図９】アプリケーション管理部１０５が保有するインストールアプリケーション表示順リストを示す表である。（実施例１）
【図１０】アプリケーション管理部１０５が保有する起動アプリケーションリストを示す表である。（実施例１）
【図１１】切り替えＵＩ表示順変更アプリケーションのツールバーに「Ｐｈｏｎｅ  Ｓｅｒｖｉｃｅ」、「Ｇａｍｅ  Ｓｅｒｖｉｃｅ」、「Ｏｒｄｅｒ  Ｃｈａｎｇｅ  Ｓｅｒｖｉｃｅ」のボタンを表示した表示画面を示す図である。（実施例１）
【図１２】切り替えＵＩ表示順変更アプリケーションのツールバーに「ＦＡＸ  Ｓｅｒｖｉｃｅ」のボタンを表示した表示画面を示す図である。（実施例１）
【図１３−１】本発明に係る組み込み機器を複写複合機に適用した実施例２を示すシステム構成図である。（実施例２）
【図１３−２】実施例２におけるユーザログインページを示す図である。（実施例２）
【図１４】本発明に係る組み込み機器を複写複合機に適用した実施例３を示すシステム構成図である。（実施例３）
【図１５】図１４の複写複合機に対してクライアント機器上のクライアント専用アプリケーションからアプリケーションの表示順序を変更する処理の流れを示すフローチャートである。（実施例３）
【図１６】図１５のクライアント専用アプリケーションのユーザ設定前の表示画面を示す図である。（実施例３）
【図１７】図１４の複写複合機から図１５のクライアント専用アプリケーションに送信されるインストールアプリケーション表示順リストを示す表である。（実施例３）
【図１８】図１５のクライアント専用アプリケーションのユーザ設定後の表示画面を示す図である。（実施例３）
【図１９】クライアント専用アプリケーションの設定で作成されたインストールアプリケーション表示順リストを示す表である。（実施例３）
【図２０】本発明に係る組み込み機器を複写複合機に適用した実施例４を示すシステム構成図である。（実施例４）
【図２１】図２０の複写複合機に搭載されたサーブレットによって生成された、ＨＴＭＬデータを表示する、クライアントのＷＥＢブラウザを示す図である。（実施例５）
【図２２】本発明に係る組み込み機器を複写複合機に適用した実施例５を示すシステム構成図である。（実施例５）
【符号の説明】
【０１４２】
１０１  複合複写機
１０２  システム制御部
１０３  インストールアプリケーション表示順リスト
１０４  起動アプリケーションリスト
１０５  アプリケーション管理部
１０６  表示アプリケーションリスト生成部
１０７  ＵＩ制御部
１０８  表示部
１０９  通信部
１１０  クライアント機器
１１１  通信部
１１２  クライアント専用アプリケーション
３０１  ツールバー
３０２  アプリケーション表示エリア
３０３  接続ボタン
３０４  Ｓetボタン
１６０１プルダウンメニュー
１６０２  Ｓetボタン
１６０３  接続ボタン
１８０１  プルダウンメニュー
１８０２  Ｓetボタン
１８０３  接続ボタン
２００１  通信部
２００２  通信部
２００３  ＷＥＢブラウザ
２００４  ＨＴＴＰサーバ
２００５  インターネット/イントラネット
２２０１  データサーバ
２２０２  アプリケーション管理部
２２０３  インストールアプリケーション表示順リスト
【図１】
2005293472.tif 000003
【図２】
2005293472.tif 000004
【図３】
2005293472.tif 000005
【図４】
2005293472.tif 000006
【図５】
2005293472.tif 000007
【図６】
2005293472.tif 000008
【図７】
2005293472.tif 000009
【図８】
2005293472.tif 000010
【図９】
2005293472.tif 000011
【図１０】
2005293472.tif 000012
【図１１】
2005293472.tif 000013
【図１２】
2005293472.tif 000014
【図１３−１】
2005293472.tif 000015
【図１３−２】
2005293472.tif 000016
【図１４】
2005293472.tif 000017
【図１５】
2005293472.tif 000018
【図１６】
2005293472.tif 000019
【図１７】
2005293472.tif 000020
【図１８】
2005293472.tif 000021
【図１９】
2005293472.tif 000022
【図２０】
2005293472.tif 000023
【図２１】
2005293472.tif 000024
【図２２】
2005293472.tif 000025